(57)【要約】【課題】炊飯の予約変更が容易な炊飯器を提供すること。【解決手段】炊飯器は、上面が開口した内釜と、内釜を収容する本体と、本体の上方を覆う蓋体と、内釜を加熱する加熱手段と、炊飯の予約設定を行う予約設定手段と、予約設定された内容に基づいて加熱手段を制御する制御部と、を備え、制御部は、炊飯の予約設定が行われた後、予約設定された炊飯の実行を待機している状態である予約待機状態時、および、待機状態時に、予約の変更操作を受け付けるものである。【選択図】図６
2018088991.tif 000002
【特許請求の範囲】
【請求項１】
上面が開口した内釜と、
前記内釜を収容する本体と、
前記本体の上方を覆う蓋体と、
前記内釜を加熱する加熱手段と、
炊飯の予約設定を行う予約設定手段と、
予約設定された内容に基づいて前記加熱手段を制御する制御部と、を備え、
前記制御部は、
炊飯の予約設定が行われた後、予約設定された炊飯の実行を待機している状態である予約待機状態時、および、待機状態時に、予約の変更操作を受け付ける
ことを特徴とする炊飯器。
【請求項２】
前記制御部は、
前記予約待機状態時、または、予約が取り消された直後の前記待機状態時に、
炊飯の予約時刻の変更操作が行われた際に、
新しい予約時刻が元の予約時刻から基準時間以上変更された場合には、
予約時刻の変更操作を無効にする
ことを特徴とする請求項１に記載の炊飯器。
【請求項３】
報知手段を備え、
前記制御部は、
前記予約待機状態時、または、予約が取り消された直後の前記待機状態時に、
炊飯の予約時刻の変更操作が行われた際に、
新しい予約時刻が元の予約時刻から基準時間以上変更された場合には、
予約時刻の変更の許可をユーザーに求める内容を前記報知手段により報知する
ことを特徴とする請求項１に記載の炊飯器。
【請求項４】
前記制御部は、
前記予約待機状態時、または、予約が取り消された直後の前記待機状態時に、
炊飯の予約時刻の変更操作が行われた際に、
新しい予約時刻が元の予約時刻から基準時間以上変更された場合には、
前記加熱手段の制御パターンに、新しく設定された炊飯条件に対応する通常の制御パターンとは異なる制御パターンを設定する
ことを特徴とする請求項１に記載の炊飯器。
【請求項５】
前記制御部は、
前記予約待機状態時、または、予約が取り消された直後の前記待機状態時に、
炊飯条件の変更操作が行われた際に、
炊飯条件の変更が特定の条件を満たす場合には、
炊飯条件の変更操作を無効にする
ことを特徴とする請求項１に記載の炊飯器。
【請求項６】
報知手段を備え、
前記制御部は、
前記予約待機状態時、または、予約が取り消された直後の前記待機状態時に、
炊飯条件の変更操作が行われた際に、
炊飯条件の変更が特定の条件を満たす場合には、
炊飯条件の変更の許可をユーザーに求める内容を前記報知手段により報知する
ことを特徴とする請求項１に記載の炊飯器。
【請求項７】
前記制御部は、
前記予約待機状態時、または、予約が取り消された直後の前記待機状態時に、
炊飯条件の変更操作が行われた際に、
炊飯条件の変更が特定の条件を満たす場合には、
前記加熱手段の制御パターンに、新しく設定された新しい炊飯条件に対応する通常の制御パターンとは異なる制御パターンを設定する
ことを特徴とする請求項１に記載の炊飯器。
【請求項８】
報知手段を備え、
前記制御部は、
前記予約待機状態時、または、予約が取り消された直後の前記待機状態時に、
予約の変更操作が行われた際に、
以前にも予約変更が行われている場合には、
以前にも予約変更が行われていることを前記報知手段により報知する
ことを特徴とする請求項１に記載の炊飯器。
【請求項９】
表示部を備え、
前記制御部は、
前記予約待機状態時、または、予約が取り消された直後の前記待機状態時に、
炊飯の予約時刻の変更操作が行われる際に、
前記表示部に、元の予約時刻とその元の予約時刻との差分時間とを表示させる
ことを特徴とする請求項１〜８のいずれか一項に記載の炊飯器。
【請求項１０】
外部の情報端末機器との間で直接またはネットワークを介して通信を行う通信手段を備え、
前記制御部は、
前記予約待機状態時、および、前記待機状態時に、前記情報端末機器から予約の変更操作を受け付ける
ことを特徴とする請求項１、２、４、５、７のいずれか一項に記載の炊飯器。
【請求項１１】
前記制御部は、
前記予約設定手段からの操作をロックするロックモードを備え、
前記ロックモードが設定されている場合には、
前記予約待機状態時、または、予約が取り消された直後の前記待機状態時に、
前記予約設定手段から予約の変更操作を受け付けず、前記情報端末機器から予約の変更操作を受け付ける
ことを特徴とする請求項１０に記載の炊飯器。
【請求項１２】
前記制御部は、
前記予約待機状態時、または、予約が取り消された直後の前記待機状態時に、
前記情報端末機器から炊飯の予約時刻の変更操作が行われた際に、
新しい予約時刻が元の予約時刻から基準時間以上変更された場合には、
予約時刻の変更の許可をユーザーに求める内容を前記情報端末機器の報知手段により報知する
ことを特徴とする請求項１０または１１に記載の炊飯器。
【請求項１３】
前記制御部は、
前記予約待機状態時、または、予約が取り消された直後の前記待機状態時に、
前記情報端末機器から炊飯条件の変更操作が行われた際に、
炊飯条件の変更が特定の条件を満たす場合には、
炊飯条件の変更の許可をユーザーに求める内容を前記情報端末機器の報知手段により報知する
ことを特徴とする請求項１０または１１に記載の炊飯器。
【請求項１４】
前記制御部は、
前記予約待機状態時、または、予約が取り消された直後の前記待機状態時に、
前記情報端末機器から予約の変更操作が行われた際に、
以前にも予約変更が行われている場合には、
以前にも予約変更が行われていることを前記情報端末機器の報知手段により報知する
ことを特徴とする請求項１０または１１に記載の炊飯器。
【請求項１５】
前記制御部は、
前記予約待機状態時、または、予約が取り消された直後の前記待機状態時に、
前記予約設定手段、または、前記情報端末機器から予約の変更操作が行われた際に、
以前にも予約変更が行われている場合には、
予約を解除して初期設定された炊飯条件で炊飯を開始する
ことを特徴とする請求項１０または１１に記載の炊飯器。
【請求項１６】
前記特定の条件は、新しい炊飯条件が元の炊飯条件よりも加水比が低くなる条件に設定された場合である
ことを特徴とする請求項５〜７、１３のいずれか一項に記載の炊飯器。
【請求項１７】
前記特定の条件は、新しい炊飯条件が元の炊飯条件よりも単位時間当たりの消費電力量が大きくなる条件に設定された場合である
ことを特徴とする請求項５〜７、１３、１６のいずれか一項に記載の炊飯器。
【請求項１８】
前記基準時間は、新しい予約時刻が元の予約時刻よりも早い時刻に変更された場合と、新しい予約時刻が元の予約時刻よりも遅い時刻に変更された場合とで、長さが異なる
ことを特徴とする請求項２〜４、１２のいずれか一項に記載の炊飯器。
【請求項１９】
前記制御部は、
前記予約待機状態時、または、予約が取り消された直後の前記待機状態時に、
前記情報端末機器から炊飯の予約時刻の変更操作が行われる際に、
前記情報端末機器の表示部に、元の予約時刻とその元の予約時刻との差分時間とを表示させる
ことを特徴とする請求項１０〜１８のいずれか一項に記載の炊飯器。
【発明の詳細な説明】
【技術分野】
【０００１】
本発明は、炊飯器に関し、特に炊飯の予約設定に関するものである。
【背景技術】
【０００２】
従来、外部の情報端末機器との間で直接またはネットワークを介してデータ通信を行う通信機能付き炊飯器がある（たとえば、特許文献１参照）。
特許文献１に記載の通信機能付き炊飯器は、外部の情報端末機器との間で直接またはネットワークを介して情報の授受を行うための通信手段と、当該通信手段に接続され炊飯制御等の各種制御を予め記憶されたプログラムに従って実行する制御部とを備え、制御部は、所定のイベントの発生に伴って、通信手段を介して情報端末機器に所定の情報を送信するようにプログラムされている。
【先行技術文献】
【特許文献】
【０００３】
【特許文献１】特開２００６−２７１４６０号公報
【発明の概要】
【発明が解決しようとする課題】
【０００４】
特許文献１に記載されているような従来の通信機能付き炊飯器は、予約設定された炊飯の実行を待機している状態である予約待機状態に炊飯の予約変更を行うことができない。そのため、炊飯の予約変更を行う場合には、炊飯の予約設定を一度取り消して待機状態にしてから、再度同様の手順による予約操作を行う必要があった。
【０００５】
本発明は、以上のような課題を解決するためになされたもので、炊飯の予約変更が容易な炊飯器を提供することを目的としている。
【課題を解決するための手段】
【０００６】
本発明に係る炊飯器は、上面が開口した内釜と、前記内釜を収容する本体と、前記本体の上方を覆う蓋体と、前記内釜を加熱する加熱手段と、炊飯の予約設定を行う予約設定手段と、予約設定された内容に基づいて前記加熱手段を制御する制御部と、を備え、前記制御部は、炊飯の予約設定が行われた後、予約設定された炊飯の実行を待機している状態である予約待機状態時、および、待機状態時に、予約の変更操作を受け付けるものである。
【発明の効果】
【０００７】
本発明に係る炊飯器によれば、制御部は、炊飯の予約設定が行われた後、予約設定された炊飯の実行を待機している状態である予約待機状態時に、予約の変更操作を受け付けるため、予約変更が容易である。
【図面の簡単な説明】
【０００８】
【図１】本発明の実施の形態１に係る炊飯器の蓋体閉時の外観斜視図である。
【図２】本発明の実施の形態１に係る炊飯器の蓋体開時の外観斜視図である。
【図３】本発明の実施の形態１に係る炊飯器の内部回路構成を示す図である。
【図４】本発明の実施の形態１に係る炊飯器の操作表示部の正面図である。
【図５ａ】本発明の実施の形態１に係る炊飯器で予約せずに炊飯を実行した際の炊飯工程における鍋底温度センサーの検知温度推移時間を示す図である。
【図５ｂ】本発明の実施の形態１に係る炊飯器で予約して炊飯を実行した際の炊飯工程における鍋底温度センサーの検知温度推移時間を示す図である。
【図６】本発明の実施の形態１に係る炊飯器の予約変更時の動作を示すフローチャートである。
【図７】本発明の実施の形態２に係る炊飯器の内部回路構成を示す図である。
【図８】本発明の実施の形態２に係る炊飯器の予約変更時の動作を示すフローチャートである。
【図９】本発明の実施の形態３に係る炊飯器の予約変更時の動作を示すフローチャートである。
【図１０ａ】本発明の実施の形態３に係る炊飯器で、新しい予約時刻が元の予約時刻から基準時間以上早い時刻に予約変更して炊飯を実行した際の炊飯工程における鍋底温度センサーの検知温度推移時間を示す図である。
【図１０ｂ】本発明の実施の形態３に係る炊飯器で、新しい予約時刻が元の予約時刻から基準時間以上遅い時刻に予約変更して炊飯を実行した際の炊飯工程における鍋底温度センサーの検知温度推移時間を示す図である。
【図１１】本発明の実施の形態４に係る炊飯器の予約変更時の動作を示すフローチャートである。
【図１２】本発明の実施の形態５に係る炊飯器の予約変更時の動作を示すフローチャートである。
【図１３】本発明の実施の形態６に係る炊飯器の予約変更時の動作を示すフローチャートである。
【図１４】本発明の実施の形態７に係る炊飯器と情報端末機器との通信システムの全体構成を示す図である。
【図１５】本発明の実施の形態８に係る炊飯器の予約変更時の動作を示すフローチャートである。
【図１６】本発明の実施の形態９に係る炊飯器の予約変更時の動作を示すフローチャートである。
【図１７】本発明の実施の形態１０に係る炊飯器の予約変更時の操作表示部を示す第一の正面図である。
【図１８】本発明の実施の形態１０に係る炊飯器の予約変更時の操作表示部を示す第二の正面図である。
【発明を実施するための形態】
【０００９】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１０】
実施の形態１．
（炊飯器の全体構成）
図１は、本発明の実施の形態１に係る炊飯器１００の蓋体２閉時の外観斜視図であり、図２は、本発明の実施の形態１に係る炊飯器１００の蓋体２開時の外観斜視図である。
図１および図２に示すように、本実施の形態１に係る炊飯器１００は、内部に米などの調理物である被加熱物を保持する有底筒状の内釜３が取り出し自在に収容される箱体形状の本体１を備えている。その本体１は、内釜３を誘導加熱する加熱手段である加熱コイル６（後述する図３参照）を備えている。
【００１１】
また、炊飯器１００は、本体１のヒンジ部（図示せず）に開閉自在に設けられた蓋体２と、蓋体２の内釜３側となる面、つまり下面に着脱自在に取り付けられ、蓋体２で本体１の上面を閉じた際に、内釜３の上部開口を閉塞する内蓋４と、を備えている。さらに、蓋体２の上面に設けられたユーザーインターフェースである操作表示部５を備えている。
【００１２】
（炊飯器の内部回路構成）
図３は、本発明の実施の形態１に係る炊飯器１００の内部回路構成を示す図である。
図３で示されるように、炊飯器１００は、少なくとも、インバーター部１１、制御部１２、および、記憶部１３によって構成された内部回路１０を備えている。また、加熱コイル６に高周波電力を供給するインバーター部１１には、交流電圧を供給する交流電源７が接続される。
【００１３】
インバーター部１１は、その内部で交流電源７から供給された交流電圧を直流電圧に変換して、制御部１２にその直流電圧を供給している。また、インバーター部１１は、その直流電圧から高周波電力を生成し、その高周波電力を加熱コイル６に供給する。この高周波電力を供給された加熱コイル６は、その上方に載置された内釜３の底部において電磁誘導によって渦電流を誘起させ、その渦電流が流れることで発生するジュール熱によって内釜３を誘導加熱する。
【００１４】
また、制御部１２は、内釜３の底部外側の温度を検知する鍋底温度センサー２１、および、内釜３内部の温度を検知する内部温度センサー２２に接続されており、これらから温度情報を受信する。また、制御部１２は、蓋体開閉センサー２３に接続されており、蓋体２の開閉のＯＮ／ＯＦＦ情報を受信する。また、制御部１２は、操作表示部５に接続されており、その操作情報を受信、および、表示情報の送信をする。そして、制御部１２は、記憶部１３に接続されており、この記憶部１３は、たとえば、蓋体開閉センサー２３の開閉状態の情報その他の制御情報を記憶する。
【００１５】
（操作表示部の構成）
図４は、本発明の実施の形態１に係る炊飯器１００の操作表示部５の正面図である。
図４に示すように、蓋体２の上面に設けられた操作表示部５の略中央部には、たとえば液晶ディスプレイである表示部３０が配置されており、その表示部３０の左側および右側には、たとえばボタンである複数の操作スイッチで構成された操作部４０が配置されている。
【００１６】
操作部４０は、切／保温スイッチ４１と、米種選択スイッチ４２と、硬さ選択スイッチ４３と、メニュー選択スイッチ４４と、炊飯スイッチ４５と、予約スイッチ４６と、時刻スイッチ４７と、で構成されている。
【００１７】
表示部３０の左側には、炊飯を強制停止、および、保温動作を開始または停止する切／保温スイッチ４１と、「白米」、「無洗米」、「発芽玄米」および「玄米」のうちから米の種類を選択する米種選択スイッチ４２と、米の炊き方、すなわち、炊き上がりの米の硬さを「ふつう」、「かため」および「やわらか」のうちから選択する硬さ選択スイッチ４３と、「ごはん」、「リゾット」、「おかゆ」および「炊きこみ」のうちから調理メニューを選択するメニュー選択スイッチ４４と、が設けられている。
【００１８】
また、表示部３０の右側には、炊飯を開始、および、再加熱を開始する炊飯スイッチ４５と、炊き上がりの時刻の予約設定等を行うための予約スイッチ４６と、時刻設定および炊き上がりの予約時刻等を設定する時刻スイッチ４７と、が設けられている。
【００１９】
表示部３０の上部には、米種選択スイッチ４２の操作によって、調理する米の種類を選択した際に、どの米が選択されているのかを表示する米種表示部３１が設けられている。たとえば、米種選択スイッチ４２の操作によって「無洗米」が選択されている場合は、その「無洗米」の文字表示部が点灯する。
【００２０】
また、米種表示部３１の下部には、硬さ選択スイッチ４３の操作によって、炊き上がりの米の硬さを選択した際に、どの硬さが選択されているかを表示する硬さ表示部３２が設けられている。たとえば、硬さ選択スイッチ４３の操作によって「ふつう」が選択されている場合は、その「ふつう」の文字表示部が点灯する。
【００２１】
また、硬さ表示部３２の下部には、メニュー選択スイッチ４４の操作によって、調理メニューを選択した際に、どの調理メニューが選択されているかを表示するメニュー表示部３３が設けられている。たとえば、メニュー選択スイッチ４４の操作によって「リゾット」が選択されている場合は、その「リゾット」の文字表示部が点灯し、また、「ごはん」が選択されている場合は、メニュー表示部３３を構成する全ての文字表示部が消灯する。なお、「ごはん」が選択されていることを示す場合、メニュー表示部３３に「ごはん」という文字表示部を設け、その文字表示部が点灯するように構成してもよい。
【００２２】
さらに、メニュー表示部３３の下部には、時間表示部３４が設けられており、時刻、米の炊き上がりまでの残り時間、または、炊き上がり後の保温経過時間等を表示する。
【００２３】
なお、上記のような操作表示部５を構成する表示部３０および操作部４０の配置は一例を示すものであり、これに限られるものではない。
また、米種表示、硬さ表示、および、メニュー表示において、選択された項目を示すためにその対応する文字表示部が点灯する動作を説明したが、これに限られるものではなく、その文字表示部が点滅等の動作をするものとしてもよい。
【００２４】
（炊飯時の動作）
図５ａは、本発明の実施の形態１に係る炊飯器１００で予約せずに炊飯を実行した際の炊飯工程における鍋底温度センサー２１の検知温度推移時間を示す図であり、図５ｂは、本発明の実施の形態１に係る炊飯器１００で予約して炊飯を実行した際の炊飯工程における鍋底温度センサー２１の検知温度推移時間を示す図である。
次に、本発明の実施の形態１に係る炊飯器１００の炊飯時の動作を、図５ａおよび図５ｂを用いて説明する。
【００２５】
まず、炊飯を予約せずに実行する場合（以下、直接炊飯とも称する）、内釜３に被炊飯物である米と水とを収容し、炊飯条件を設定する。具体的には、操作表示部５の米種選択スイッチ４２で米の種類を選択し、硬さ選択スイッチ４３で炊き上がりの硬さを選択し、メニュー選択スイッチ４４で調理メニューを選択する。その後、炊飯スイッチ４５が押されると、炊飯工程が開始される。
【００２６】
また、炊飯を予約して実行する場合（以下、予約炊飯とも称する）、内釜３に被炊飯物である米と水を収容し、炊飯条件を設定する。具体的には、操作表示部５の米種選択スイッチ４２で米の種類を選択し、硬さ選択スイッチ４３で炊き上がりの硬さを選択し、メニュー選択スイッチ４４で調理メニューを選択する。次に、予約スイッチ４６を押すと、表示部３０の時間表示部３４と時刻スイッチ４７とを用いて炊飯開始時刻、つまり予約時刻の設定を行うことができるようになるため、予約時刻の設定を行う。その後、炊飯スイッチ４５が押されると、予約時刻が記憶部１３に記憶され、予約時刻になったら炊飯工程が開始される。
【００２７】
なお、本実施の形態１では、炊飯条件として、米種は「白米」、米の硬さは「ふつう」、調理メニューは「ごはん」が、それぞれ設定されているものとする。
【００２８】
炊飯工程が開始されたら、制御部１２は、設定された炊飯条件に応じた制御パターンで加熱コイル６等を制御する。 炊飯工程は、図５ａおよび図５ｂに示すように、Ａ、Ｂ、Ｃ、Ｄの工程で構成されている。Ａは米に吸水させるための予熱工程であり、Ｂは被炊飯物である水を沸騰させるための炊き上げ工程であり、Ｃはその沸騰状態を維持して米への吸水と余分な水の蒸発を同時に行い、米の澱粉を糊化させながら内釜３内の水を無くしていく沸騰維持工程であり、Ｄは炊きあがったご飯を蒸らして内釜３内の状態を均一に仕上げるむらし工程である。
【００２９】
予熱工程は、米が糊化する温度よりも低温の水に米を浸して予め米に吸水させることで、以降の工程、特に沸騰維持工程において、米の中心部まで十分に糊化できるようにする工程である。また、予熱工程は、米に含まれる酵素により澱粉を分解して糖を生成させ、ご飯の甘みを生み出す工程でもある。
【００３０】
予熱工程が終了すると炊き上げ工程に移行する。炊き上げ工程では、鍋底温度センサー２１が所定の温度になってから、内部温度センサー２２が所定の温度になるまでの時間差を計測することによって、被炊飯物の量、すなわち炊飯量を判定している。
【００３１】
内部温度センサー２２が所定の温度に達すると炊き上げ工程を終了し、沸騰維持工程に移行する。
【００３２】
沸騰維持工程では、米の澱粉を糊化させて糊化度を５０〜６０％程度まで引き上げる工程である。
【００３３】
ここで「糊化」とは、米中の澱粉が水を吸収し、さらに熱が加わることで膨潤、軟化した状態をいう。炊飯工程では、内釜３内に水がある間は、内釜３内の米および水が沸騰状態を維持するように、制御部１２がインバーター部１１を制御して加熱コイル６に通電し、炊きあげ工程で判定した被炊飯物の量、つまり炊飯量に応じた火力で加熱動作を行う。
【００３４】
この加熱動作により米への吸水と余分な水の蒸発とを同時に行い、米の澱粉を糊化させながら内釜３内の水が無くなると、内釜３の温度が上昇し鍋底温度センサー２１の温度が所定の温度（水の沸点以上、通常１３０℃前後）に到達するまで加熱を行う。
【００３５】
なお、沸騰状態を維持する時間は、被炊飯物の量、つまり炊飯量によって変わり、炊飯量が多い場合は沸騰状態を維持する時間が長くなってしまい、炊飯工程全体の時間も長くなってしまう。
【００３６】
沸騰維持工程が終了するとむらし工程に移行する。むらし工程は、米の澱粉の糊化をさらに促進して糊化度を１００％近くまで引き上げる工程である。むらし工程では内釜３底のごはんが焦げたり乾燥したりするのを避けつつ、ごはんの温度が低下するのを防ぎ、糊化を促進させて内釜３内のごはんの状態を均一化するため、休止と加熱を交互に複数回繰り返す。
【００３７】
図５ａおよび図５ｂに示すように、直接炊飯の予熱工程の時間ｔ１と予約炊飯の予熱工程の時間ｔ２とでは、予約炊飯の予熱工程の時間ｔ２の方が短くなっている（ｔ２＜ｔ１）。これは、予約炊飯では、直接炊飯に比べ、内釜３に米と水とを収容してから炊飯開始するまでの時間が長くなるためである。前記時間が長くなると、米の吸水が進んで吸水過多によりまたは水の蒸発が進むことにより、炊飯時に不具合を起こしてしまう可能性があるので、そのような炊飯時の不具合を抑制するために、米に吸水させるための工程である予熱工程の時間を短くしている。
【００３８】
なお、本実施の形態１では、予約時刻を炊飯開始時刻としたが、炊飯完了時刻としてもよい。
【００３９】
（予約変更時の動作）
本実施の形態１に係る炊飯器１００は、炊飯を実行している状態である炊飯状態、炊飯を実行して被加熱物が炊きあがった後、内釜３内の被加熱物を加熱コイル６によって保温している状態である保温状態、炊飯の予約設定が行われた後、予約設定された炊飯の実行を待機している状態である予約待機状態、電源は入っているが何もしていない状態である待機状態、および、電源が入っていない状態である電源切状態の、いずれかの状態に属している。そして、炊飯器１００は、予約待機状態時、および、待機状態時に、予約設定手段から予約操作を受け付ける。なお、本実施の形態１では、予約設定手段は操作表示部５である。
【００４０】
図６は、本発明の実施の形態１に係る炊飯器１００の予約変更時の動作を示すフローチャートである。
以下、本実施の形態１に係る炊飯器１００の予約変更時の動作について図６を用いて説明する。
図６に示すように、制御部１２は、予約設定手段からの予約操作が完了したと判定した場合、つまり予約スイッチ４６が押された後、時刻スイッチ４７により予約時刻が設定され、炊飯スイッチ４５が押されたと判定した場合（ステップＳ１０１のＹｅｓ）、ステップＳ１０２へ進む。
【００４１】
ステップＳ１０２において、制御部１２は、現在の状態が予約待機状態、または、予約待機状態後の待機状態、つまり炊飯の予約設定が取り消された直後の待機状態であるかどうかを判定する。
制御部１２は、現在の状態が予約待機状態、または、予約待機状態後の待機状態ではないと判定した場合（ステップＳ１０２のＮｏ）、予約操作を受け付けることなく終了する。
一方、制御部１２は、現在の状態が予約待機状態、または、予約待機状態後の待機状態であると判定した場合（ステップＳ１０２のＹｅｓ）、ステップＳ１０３へ進む。
【００４２】
ステップＳ１０３において、制御部１２は、予約設定手段からの予約操作を受け付け、ステップＳ１０４へ進む。
【００４３】
ステップＳ１０４において、制御部１２は、新しい予約時刻が元の予約時刻から基準時間以上変更されたかどうかを判定する（ステップＳ１０４）。ここで、基準時間は、新しい予約時刻が元の予約時刻よりも早い時刻に変更された場合と、新しい予約時刻が元の予約時刻よりも遅い時刻に変更された場合とで、長さが異なるようにしてもよいし、同じようにしてもよい。
【００４４】
また、元の予約時刻とは、すでに炊飯の予約設定が行われている場合は、その設定されている予約時刻のことであり、炊飯の予約設定が行われていない場合は、直前に取り消された予約で設定されていた予約時刻のことであるものとする。
【００４５】
制御部１２は、新しい予約時刻が元の予約時刻から基準時間以上変更されていないと判定した場合（ステップＳ１０４のＮｏ）、予約操作の受付内容を有効にし、予約変更を受け付ける（ステップＳ１０５）。つまり、新しい予約内容での予約待機状態になる。
一方、制御部１２は、新しい予約時刻が元の予約時刻から基準時間以上変更されたと判定した場合（ステップＳ１０４のＹｅｓ）、予約操作の受付内容を無効にし、予約変更を受け付けない（ステップＳ１０６）。そのため、予約変更がされずに元の予約内容が維持される。
【００４６】
以上、本実施の形態１に係る炊飯器１００によれば、炊飯の予約設定が行われた後、予約設定された炊飯の実行を待機している状態である予約待機状態時に、予約の変更操作を受け付けるため、予約変更が容易である。
【００４７】
また、制御部１２は、新しい予約時刻が元の予約時刻から基準時間以上変更されたと判定した場合、予約操作の受付内容を無効にし、予約変更を受け付けないため、予約変更がされずに元の予約内容が維持される。そのため、予約時刻が早くなりすぎて、吸水不足により炊飯不具合を起こすこと、および、予約時刻が遅くなりすぎて、吸水過多によりまたは水の蒸発が進むことにより炊飯不具合を起こしてしまうことを、抑制することができる。
【００４８】
なお、炊飯の予約設定が取り消された直後の待機状態で予約操作の受付内容を有効にした場合、炊飯の予約設定が取り消された直後の待機状態では予約が設定されていないため、厳密には予約変更ではないが、本実施の形態１では、直前に取り消された予約で設定されていた内容からの変更という意味である。また、以下で説明する実施の形態でも同様とする。
【００４９】
実施の形態２．
以下、本発明の実施の形態２について説明するが、実施の形態１と重複するものについては説明を省略し、実施の形態１と同じ部分または相当する部分には同じ符号を付す。
【００５０】
図７は、本発明の実施の形態２に係る炊飯器１００の内部回路構成を示す図である。
図７に示すように、本実施の形態２に係る炊飯器１００は、たとえば液晶ディスプレイであり、文字の表示により報知する報知部８を備えている。なお、報知部８は操作表示部５の表示部３０と別体としたが、これに限られるものではなく、表示部３０と同体でもよい。また、報知部８は、たとえばスピーカーなどの音声により報知するものでもよい。
【００５１】
図８は、本発明の実施の形態２に係る炊飯器１００の予約変更時の動作を示すフローチャートである。
以下、本実施の形態２に係る炊飯器１００の予約変更時の動作について図８を用いて説明する。
なお、ステップＳ１０１〜ステップＳ１０３については実施の形態１と同様であるため、説明を省略する。
【００５２】
ステップＳ１０４において、制御部１２は、新しい予約時刻が元の予約時刻から基準時間以上変更されたかどうかを判定する。
制御部１２は、新しい予約時刻が元の予約時刻から基準時間以上変更されていないと判定した場合（ステップＳ１０４のＮｏ）、予約操作の受付内容を有効にし、予約変更を受け付ける（ステップＳ１０５）。つまり、新しい予約内容での予約待機状態になる。
一方、制御部１２は、新しい予約時刻が元の予約時刻から基準時間以上変更されたと判定した場合（ステップＳ１０４のＹｅｓ）、報知手段により、予約変更の許可をユーザーに求める内容、たとえば「予約変更をしてもよいですか？」を報知する（ステップＳ２０１）。なお、本実施の形態２では、報知手段は報知部８である。
【００５３】
ユーザーは、報知手段により予約変更の許可をユーザーに求める内容が報知されたら、たとえば操作表示部５により、予約変更を許可するかどうかを決定する。
【００５４】
ステップＳ２０２において、制御部１２は、ユーザーが予約変更を許可したと判定した場合（ステップＳ２０２のＹｅｓ）、予約操作の受付内容を有効にし、予約変更を受け付ける（ステップＳ１０５）。つまり、新しい予約内容での予約待機状態になる。
一方、制御部１２は、ユーザーが予約変更を許可しないと判定した場合（ステップＳ２０２のＮｏ）、予約操作の受付内容を無効にし、予約変更を受け付けない（ステップＳ１０６）。そのため、予約変更がされずに元の予約内容が維持される。
【００５５】
以上、本実施の形態２に係る炊飯器１００によれば、制御部１２は、新しい予約時刻が元の予約時刻から基準時間以上変更されたと判定した場合、報知手段により、予約変更の許可をユーザーに求める内容を報知する。そのため、新しい予約時刻が元の予約時刻から基準時間以上変更された場合でも、予約変更内容を即座に無効にするのではなく、ユーザーに判断を求めた上で、予約変更内容を有効にするか無効にするかを決定することができる。また、実施の形態１と同様の効果を得ることもできる。
【００５６】
実施の形態３．
以下、本発明の実施の形態３について説明するが、実施の形態１および２と重複するものについては説明を省略し、実施の形態１および２と同じ部分または相当する部分には同じ符号を付す。
【００５７】
図９は、本発明の実施の形態３に係る炊飯器１００の予約変更時の動作を示すフローチャートである。
以下、本実施の形態３に係る炊飯器１００の予約変更時の動作について図９を用いて説明する。
なお、ステップＳ１０１〜ステップＳ１０３については実施の形態１と同様であるため、説明を省略する。
【００５８】
ステップＳ１０４において、制御部１２は、新しい予約時刻が元の予約時刻から基準時間以上変更されたかどうかを判定する。
制御部１２は、新しい予約時刻が元の予約時刻から基準時間以上変更されていないと判定した場合（ステップＳ１０４のＮｏ）、予約操作の受付内容を有効にし、予約変更を受け付ける（ステップＳ１０５）。つまり、新しい予約内容での予約待機状態になる。
一方、制御部１２は、新しい予約時刻が元の予約時刻から基準時間以上変更されたと判定した場合（ステップＳ１０４のＹｅｓ）、予約操作の受付内容を有効にし、予約変更を受け付けるが、その際、加熱コイル６の制御パターンに、新しく設定された炊飯条件に対応する通常の制御パターンとは異なる制御パターンを設定する（ステップＳ３０１）。
【００５９】
図１０ａは、本発明の実施の形態３に係る炊飯器１００で、新しい予約時刻が元の予約時刻から基準時間以上早い時刻に予約変更して炊飯を実行した際の炊飯工程における鍋底温度センサー２１の検知温度推移時間を示す図であり、図１０ｂは、本発明の実施の形態３に係る炊飯器１００で、新しい予約時刻が元の予約時刻から基準時間以上遅い時刻に予約変更して炊飯を実行した際の炊飯工程における鍋底温度センサー２１の検知温度推移時間を示す図である。
【００６０】
ここで、新しい予約時刻が元の予約時刻から基準時間以上変更されていない場合、図５ｂに示す加熱コイル６の制御パターンが設定されるものとする。そして、新しい予約時刻が元の予約時刻から基準時間以上早い時刻に変更された場合、図１０ａに示す加熱コイル６の制御パターンが設定され、新しい予約時刻が元の予約時刻から基準時間以上遅い時刻に変更された場合、図１０ｂに示す加熱コイル６の制御パターンが設定される。
【００６１】
図１０ａに示すように、新しい予約時刻が元の予約時刻から基準時間以上早い時刻に変更された場合では、予熱時間ｔ３が、新しく設定された炊飯条件に対応する通常の制御パターンである図５ｂに示す制御パターンの予熱時間ｔ２に比べ、長くなっている。これは、予約時刻の変更により、予約時刻を変更する前に比べ、内釜３に米と水とを収容してから炊飯開始するまでの時間が短くなったためである。前記時間が短くなると、米の吸水が不足して吸水不足により炊飯不具合を起こしてしまう可能性があるので、そのような炊飯不具合を抑制するために、米に吸水させるための工程である予熱工程の時間を長くしている。
【００６２】
また、図１０ｂに示すように、新しい予約時刻が元の予約時刻から基準時間以上遅い時刻に変更された場合では、予熱時間ｔ４が、新しく設定された炊飯条件に対応する通常の制御パターンである図５ｂに示す制御パターンの予熱時間ｔ２に比べ、短くなっている。これは、予約時刻の変更により、予約時刻を変更する前に比べ、内釜３に米と水とを収容してから炊飯開始するまでの時間が長くなったためである。前記時間が長くなると、米の吸水が進んで吸水過多によりまたは水の蒸発が進むことにより、炊飯不具合を起こしてしまう可能性があるので、そのような炊飯不具合を抑制するために、米に吸水させるための工程である予熱工程の時間を短くしている。
【００６３】
以上、本実施の形態３に係る炊飯器１００によれば、制御部１２は、新しい予約時刻が元の予約時刻から基準時間以上変更されたと判定した場合、予約操作の受付内容を有効にし、予約変更を受け付けるが、その際、加熱コイル６の制御パターンに、新しく設定された炊飯条件に対応する通常の制御パターンとは異なる制御パターンを設定する。そのため、予約時刻が早くなりすぎて、吸水不足により炊飯不具合を起こすこと、および、予約時刻が遅くなりすぎて、吸水過多によりまたは水の蒸発が進むことにより炊飯不具合を起こしてしまうことを、抑制することができる。また、予約時刻を変更して炊飯を実行することができるため、ユーザーの使い勝手をよくすることができる。また、実施の形態１と同様の効果を得ることもできる。
【００６４】
実施の形態４．
以下、本発明の実施の形態４について説明するが、実施の形態１〜３と重複するものについては説明を省略し、実施の形態１〜３と同じ部分または相当する部分には同じ符号を付す。
【００６５】
図１１は、本発明の実施の形態４に係る炊飯器１００の予約変更時の動作を示すフローチャートである。
以下、本実施の形態４に係る炊飯器１００の予約変更時の動作について図１１を用いて説明する。
なお、ステップＳ１０１〜ステップＳ１０３については実施の形態１と同様であるため、説明を省略する。
【００６６】
ステップＳ４０１において、制御部１２は、炊飯条件が元の炊飯条件から変更されたかどうかを判定する。ここで、予約操作時の炊飯条件の変更は、たとえば、ユーザーが、予約スイッチ４６を押した後、米種選択スイッチ４２で米の種類を選択し、硬さ選択スイッチ４３で炊き上がりの硬さを選択し、メニュー選択スイッチ４４で調理メニューを選択した後、炊飯スイッチ４５を押すことにより行われる。
【００６７】
制御部１２は、炊飯条件が元の炊飯条件から変更されていないと判定した場合（ステップＳ４０１のＮｏ）、ステップＳ１０５へ進む。
一方、制御部１２は、炊飯条件が元の炊飯条件から変更されていると判定した場合（ステップＳ４０１のＹｅｓ）、ステップＳ４０２へ進む。
【００６８】
ステップＳ４０２において、制御部１２は、炊飯条件の変更が特定の条件を満たすかどうかを判定する（ステップＳ４０２）。
制御部１２は、炊飯条件の変更が特定の条件を満たさないと判定した場合（ステップＳ４０２のＮｏ）、ステップＳ１０５へ進み、予約操作の受付内容を有効にし、予約変更を受け付ける。つまり、新しい予約内容での予約待機状態になる。
一方、制御部１２は、炊飯条件の変更が特定の条件を満たすと判定した場合（ステップＳ４０２のＹｅｓ）、ステップＳ１０６へ進み、予約操作の受付内容を無効にし、予約変更を受け付けない。そのため、予約変更がされずに元の予約内容が維持される。
【００６９】
ここで、特定の条件とは、新しい炊飯条件が元の炊飯条件よりも加水比が低くなる条件に設定された場合であり、たとえば、調理メニューが「おかゆ」から「ごはん」、または「リゾット」から「ごはん」に変更された場合などである。また、新しい炊飯条件が元の炊飯条件よりも火力が大きくなる条件、つまり単位時間当たりの消費電力量が大きくなる条件に設定された場合であり、たとえば、調理メニューが「ごはん」から「炊きこみ」に変更された場合などである。また、炊き上がりの米の硬さが「やわらかめ」から「ふつう」、または「ふつう」から「かため」に変更された場合などである。
【００７０】
また、元の炊飯条件とは、すでに予約が設定されている場合は、その設定されている炊飯条件のことであり、予約が設定されていない場合は、直前に取り消された予約で設定されていた炊飯条件のことであるものとする。
【００７１】
このように、特定の条件では、加水比または火力が大きく異なる炊飯条件へ変更される場合であり、このような場合は、吹きこぼれを起こしたり、極端に米が軟らかくなってしまったりというような炊飯不具合を起こしてしまう可能性がある。そのため、このような炊飯不具合を抑制するために、炊飯条件の変更が特定の条件を満たす場合は、予約変更を受け付けないようにしている。
【００７２】
以上、本実施の形態４に係る炊飯器１００によれば、制御部１２は、炊飯条件の変更が特定の条件を満たすかどうかを判定し、炊飯条件の変更が特定の条件を満たすと判定した場合、予約操作の受付内容を無効にし、予約変更を受け付けない。そのため、加水比または火力が大きく異なる炊飯条件へ変更される場合に起こる、吹きこぼれを起こしたり、極端に米が軟らかくなってしまったりというような炊飯不具合を抑制することができる。
【００７３】
実施の形態５．
以下、本発明の実施の形態５について説明するが、実施の形態１〜４と重複するものについては説明を省略し、実施の形態１〜４と同じ部分または相当する部分には同じ符号を付す。
図１２は、本発明の実施の形態５に係る炊飯器１００の予約変更時の動作を示すフローチャートである。
以下、本実施の形態５に係る炊飯器１００の予約変更時の動作について図１２を用いて説明する。
なお、ステップＳ１０１〜ステップＳ１０３については実施の形態１と同様であるため、説明を省略する。
【００７４】
ステップＳ４０１において、制御部１２は、炊飯条件が変更されたかどうかを判定する。
制御部１２は、炊飯条件が変更されていないと判定した場合（ステップＳ４０１のＮｏ）、ステップＳ１０５へ進む。
一方、制御部１２は、炊飯条件が変更されていると判定した場合（ステップＳ４０１のＹｅｓ）、ステップＳ４０２へ進む。
【００７５】
ステップＳ４０２において、制御部１２は、炊飯条件の変更が特定の条件を満たすかどうかを判定する。
制御部１２は、炊飯条件の変更が特定の条件を満たさないと判定した場合（ステップＳ４０２のＮｏ）、ステップＳ１０５へ進む。
一方、制御部１２は、炊飯条件の変更が特定の条件を満たすと判定した場合（ステップＳ４０２のＹｅｓ）、報知手段により、予約変更の許可をユーザーに求める内容、たとえば「予約変更をしてもよいですか？」を報知する（ステップＳ５０１）。なお、本実施の形態５では、報知手段は報知部８である。
【００７６】
ユーザーは、報知手段により予約変更の許可をユーザーに求める内容が報知されたら、たとえば操作表示部５により、予約変更を許可するかどうかを決定する。
【００７７】
ステップＳ５０２において、制御部１２は、ユーザーが予約変更を許可したと判定した場合（ステップＳ５０２のＹｅｓ）、予約操作の受付内容を有効にし、予約変更を受け付ける（ステップＳ１０５）。つまり、新しい予約内容での予約待機状態になる。
一方、制御部１２は、ユーザーが予約変更を許可しないと判定した場合（ステップＳ５０２のＮｏ）、予約操作の受付内容を無効にし、予約変更を受け付けない（ステップＳ１０６）。そのため、予約変更がされずに元の予約内容が維持される。
【００７８】
以上、本実施の形態５に係る炊飯器１００によれば、制御部１２は、炊飯条件の変更が特定の条件を満たすと判定した場合、報知手段により、予約変更の許可をユーザーに求める内容を報知する。そのため、炊飯条件の変更が特定の条件を満たす場合でも、予約変更内容を即座に無効にするのではなく、ユーザーに判断を求めた上で、予約変更内容を有効にするか無効にするかを決定することができる。また、実施の形態４と同様の効果を得ることもできる。
【００７９】
実施の形態６．
以下、本発明の実施の形態６について説明するが、実施の形態１〜５と重複するものについては説明を省略し、実施の形態１〜５と同じ部分または相当する部分には同じ符号を付す。
【００８０】
図１３は、本発明の実施の形態６に係る炊飯器１００の予約変更時の動作を示すフローチャートである。
以下、本実施の形態６に係る炊飯器１００の予約変更時の動作について図１３を用いて説明する。
なお、ステップＳ１０１〜ステップＳ１０３については実施の形態１と同様であるため、説明を省略する。
【００８１】
ステップＳ４０１において、制御部１２は、炊飯条件が元の炊飯条件から変更されたかどうかを判定する。
制御部１２は、炊飯条件が元の炊飯条件から変更されていないと判定した場合（ステップＳ４０１のＮｏ）、ステップＳ１０５へ進む。
一方、制御部１２は、炊飯条件が元の炊飯条件から変更されていると判定した場合（ステップＳ４０１のＹｅｓ）、ステップＳ４０２へ進む。
【００８２】
ステップＳ４０２において、制御部１２は、炊飯条件の変更が特定の条件を満たすかどうかを判定する。
制御部１２は、炊飯条件の変更が特定の条件を満たさないと判定した場合（ステップＳ４０２のＮｏ）、予約操作の受付内容を有効にし、予約変更を受け付ける（ステップＳ１０５）。つまり、新しい予約内容での予約待機状態になる。
一方、制御部１２は、炊飯条件の変更が特定の条件を満たすと判定した場合（ステップＳ４０２のＹｅｓ）、予約操作の受付内容を有効にし、予約変更を受け付けるが、その際、加熱コイル６の制御パターンに、新しく設定された炊飯条件に対応する通常の制御パターンとは異なる制御パターンを設定する（ステップＳ６０１）。
【００８３】
以上、本実施の形態６に係る炊飯器１００によれば、制御部１２は、炊飯条件の変更が特定の条件を満たすと判定した場合、予約操作の受付内容を有効にし、予約変更を受け付けるが、その際、加熱コイル６の制御パターンに、新しく設定された炊飯条件に対応する通常の制御パターンとは異なる制御パターンを設定する。そのため、加水比または火力が大きく異なる炊飯条件へ変更される場合に起こる、吹きこぼれを起こしたり、極端に米が軟らかくなってしまったりというような炊飯不具合を抑制することができる。また、炊飯条件を変更して炊飯を実行することができるため、ユーザーの使い勝手をよくすることができる。また、実施の形態４と同様の効果を得ることもできる。
【００８４】
実施の形態７．
以下、本発明の実施の形態７について説明するが、実施の形態１〜６と重複するものについては説明を省略し、実施の形態１〜６と同じ部分または相当する部分には同じ符号を付す。
【００８５】
図１４は、本発明の実施の形態７に係る炊飯器１００と情報端末機器２００との通信システムの全体構成を示す図である。
図１４に示すように、本実施の形態７に係る炊飯器１００は、蓋体２の正面側に、たとえば赤外線、Ｗｉ-Ｆｉ（登録商標）、Ｂｌｕｅｔｏｏｔｈ（登録商標）などの無線通信を行うための通信手段９を備えており、無線通信機能を有する外部の情報端末機器２００との間で無線通信を行うことができる。なお、図１４では、情報端末機器２００として携帯電話機が示されているが、それに限られるものではなく、無線通信機能を有するＰＤＡ（個人情報端末）、パーソナルコンピュータなどであってもよい。
【００８６】
情報端末機器２００は、インターネット３００のようなネットワークに接続する機能を有し、インターネット３００を介してウェブサーバー４００にアクセスすることが可能である。
【００８７】
情報端末機器２００は、無線通信によって炊飯器１００の遠隔操作を行うことができる。つまり、炊飯器１００の操作表示部５から炊飯の予約設定等を行う代わりに、無線通信によって炊飯器１００に接続可能な情報端末機器２００の操作表示部２０１から炊飯の予約設定等を行うことができる。なお、操作表示部２０１は、たとえばタッチパネルである。また、このような遠隔操作に必要なアプリケーションプログラムは、ウェブサーバー４００からダウンロードすることができる。
【００８８】
たとえば、炊飯器１００の製造業者またはその代理業者がインターネット３００上に開設するウェブページにおいて、情報端末機器２００を用いて炊飯器１００の遠隔操作を行うためのアプリケーションプログラムを提供する。そのようなアプリケーションプログラムはウェブサーバー４００に保存される。ユーザーはウェブページにアクセスすることによって、当該アプリケーションプログラムを自分の情報端末機器２００にダウンロードし、実行可能な状態にインストールすることができる。なお、このアプリケーションプログラムは、必ずしも炊飯器１００の設定操作機能の全てを含んでいる必要はなく、少なくとも炊飯の予約設定が情報端末機器２００からの遠隔操作によって可能であればよい。
【００８９】
また、炊飯器１００は、誤操作を防止するためのロック機能を備えており、たとえば操作表示部５の操作部４０の複数の操作スイッチを同時押しすることにより、または、専用のロックボタン（図示せず）を押すことにより、ロックモードが設定される。ここで、ロックモードとは、制御部１２が、操作表示部５の操作部４０から、ロックモード解除など特定の操作しか受け付けなくなるモードである。
【００９０】
本実施の形態７に係る炊飯器１００は、ロックモードが設定されており、操作表示部５の操作部４０から特定の操作しかできない状態でも、情報端末機器２００の操作表示部２０１からの予約操作を受け付ける。そして、情報端末機器２００の操作表示部２０１からの予約操作を受け付けた後は、実施の形態１〜３、５〜７で説明した処理のいずれかを行う。具体的には、図６、図８、図９、図１１〜図１３に示すフローチャートのいずれかにおいて、ステップＳ１０２を含めそれ以降の処理を行う。その場合、予約設定手段は、情報端末機器２００の操作表示部２０１であり、報知手段は、情報端末機器２００の報知部（図示せず）であるものとする。
【００９１】
以上より、操作表示部５の操作部４０から特定の操作しかできない場合でも、情報端末機器２００の操作表示部２０１から炊飯の予約設定等を行うことができる。
【００９２】
なお、本実施の形態７では、情報端末機器２００と炊飯器１００とが無線通信によって直接通信を行っているが、それに限られるものではなく、ユーザーの外出先など遠く離れた場所から情報端末機器２００がインターネット３００を介して炊飯器１００と通信できるように構成してもよい。そのように構成することにより、ユーザーは情報端末機器２００を用いて外出先からインターネット３００を介して炊飯器１００にアクセスし、炊飯の予約設定等を行うことができる。
【００９３】
また、本実施の形態７では、情報端末機器２００と炊飯器１００とが無線通信によって通信を行っているが、それに限られるものではなく、情報端末機器２００と炊飯器１００とが有線通信によって通信を行うように構成してもよい。
【００９４】
また、ロックモードが設定されていなくても、情報端末機器２００が炊飯器１００と接続されている間は、操作表示部５の操作部４０からの操作を制限するようにしてもよい。
【００９５】
以上、本実施の形態７に係る炊飯器１００によれば、無線通信機能を有する情報端末機器２００との間で無線通信を行うことができる。そのため、誤作動を防止するため炊飯器１００にロックモードが設定されており、操作表示部５の操作部４０から特定の操作しかできない場合でも、情報端末機器２００の操作表示部２０１から炊飯の予約設定等を行うことができる。また、情報端末機器２００がインターネット３００を介して炊飯器１００と通信できるように構成することにより、遠く離れた場所から炊飯の予約設定等を行うことができる。
【００９６】
実施の形態８．
以下、本発明の実施の形態８について説明するが、実施の形態１〜７と重複するものについては説明を省略し、実施の形態１〜７と同じ部分または相当する部分には同じ符号を付す。
【００９７】
図１５は、本発明の実施の形態８に係る炊飯器１００の予約変更時の動作を示すフローチャートである。
以下、本実施の形態８に係る炊飯器１００の予約変更時の動作について図１５を用いて説明する。
なお、ステップＳ１０１〜ステップＳ１０３については実施の形態１と同様であるため、説明を省略する。
【００９８】
ステップＳ７０１において、制御部１２は、以前に予約変更が行われているかどうか、つまり、前回の炊飯が終了してから現在までに予約変更が行われているかどうかを判定する。
制御部１２は、以前に予約変更が行われていないと判定した場合（ステップＳ７０１のＮｏ）、ステップＳ７０３へ進む。
一方、制御部１２は、以前に予約変更が行われていると判定した場合（ステップＳ７０１のＹｅｓ）、報知手段により、以前に予約変更が行われていることをユーザーに知らせる内容、たとえば「以前にも予約変更が行われています。」を報知し（ステップＳ７０２）、ステップＳ７０３へ進む。なお、炊飯条件および予約時刻の詳細な変更履歴を報知してもよい。また、本実施の形態８では、報知手段は、操作表示部５の操作部４０から予約操作が行われた場合は、報知部８であり、情報端末機器２００の操作表示部２０１から予約操作が行われた場合は、その情報端末機器２００の報知部であるものとする。
【００９９】
ステップＳ７０３において、制御部１２は、受付内容を有効にし、予約変更を受け付ける。つまり、新しい予約内容での予約待機状態になる。
【０１００】
以上、本実施の形態８に係る炊飯器１００によれば、制御部１２は、以前に予約変更が行われていると判定した場合、報知手段により、以前に予約変更が行われていたことをユーザーに知らせる内容を報知する。そのため、複数のユーザーが情報端末機器２００をそれぞれ別の場所から操作して、予約変更を行うような場合でも、重複して予約変更が行われることを抑制できる。
【０１０１】
なお、以前に予約変更が行われていることをユーザーに知らせる内容を報知する際に、炊飯器１００の報知部８、および、炊飯器１００に接続されている全ての情報端末機器２００の報知部により、報知するようにしてもよい。そうすることで、別のユーザーによって知らない間に予約変更されていたという不具合を抑制することができる。
【０１０２】
実施の形態９．
以下、本発明の実施の形態９について説明するが、実施の形態１〜８と重複するものについては説明を省略し、実施の形態１〜８と同じ部分または相当する部分には同じ符号を付す。
【０１０３】
図１６は、本発明の実施の形態９に係る炊飯器１００の予約変更時の動作を示すフローチャートである。
以下、本実施の形態９に係る炊飯器１００の予約変更時の動作について図１６を用いて説明する。
なお、ステップＳ１０１〜ステップＳ１０３については実施の形態１と同様であるため、説明を省略する。
【０１０４】
ステップＳ７０１において、制御部１２は、以前に予約変更が行われているかどうか、つまり、前回の炊飯が終了してから現在までに予約変更が行われているかどうかを判定する。
制御部１２は、以前に予約変更が行われていないと判定した場合（ステップＳ７０１のＮｏ）、予約操作の受付内容を有効にし、予約変更を受け付ける（ステップＳ１０５）。つまり、新しい予約内容での予約待機状態になる。
一方、制御部１２は、以前に予約変更が行われていると判定した場合（ステップＳ７０１のＹｅｓ）、初期設定された炊飯条件で炊飯を開始する（ステップＳ８０１）。
【０１０５】
ここで、初期設定された炊飯条件とは、通常よく選択される炊飯条件であり、たとえば、米種は「白米」、米の硬さは「ふつう」、調理メニューは「ごはん」である。この初期設定された炊飯条件は、ユーザーが変更できるようにしてもよい。
【０１０６】
以上、本実施の形態９に係る炊飯器１００によれば、制御部１２は、以前に予約変更が行われていると判定した場合、初期設定された炊飯条件で炊飯を開始する。そのため、米が炊けていない状況を回避することができる。たとえば、ユーザーＡが情報端末機器２００から帰宅予定時刻である１８時に予約時刻を設定した後、別のユーザーＢが情報端末機器２００から１９時に予約時刻を設定しようとした場合、予約時刻が変更されてしまうとユーザーＡの帰宅時に米が炊けていなくなってしまう。しかし、ユーザーＢが情報端末機器２００から１９時に予約時刻を設定しようとした時点で、デフォルトの炊飯条件で炊飯を開始するため、ユーザーＡの帰宅時に米が炊けていなくなってしまうということを回避することができる。
【０１０７】
実施の形態１０．
以下、本発明の実施の形態１０について説明するが、実施の形態１〜９と重複するものについては説明を省略し、実施の形態１〜９と同じ部分または相当する部分には同じ符号を付す。
【０１０８】
図１７は、本発明の実施の形態１０に係る炊飯器１００の予約変更時の操作表示部５を示す第一の正面図であり、図１８は、本発明の実施の形態１０に係る炊飯器１００の予約変更時の操作表示部５を示す第二の正面図である。
本実施の形態１０に係る炊飯器１００では、図１７および図１８に示すように、操作表示部５から炊飯の予約時刻の変更操作が行われる際、表示部３０の時間表示部３４に、元の予約時刻と、その元の予約時刻との差分時間とを表示させるようになっている。つまり、時間表示部３４に、新しい予約時刻の設定を、元の予約時刻との差分時間でユーザーに設定させるような表示が行われる。
【０１０９】
たとえば、予約時刻が１８：００に設定されていて、予約時刻を２０：００に変更したい場合、図１７に示すように、時間表示部３４の上側には元の予約時刻である「１８：００」が表示される。また、時間表示部３４の下側には元の予約時刻との差分時間である「０：００」が表示されるので、ユーザーは、時刻スイッチ４７を押して、差分時間を「２：００」に合わせる。また、差分時間の右側には「前」または「後」が表示されるので、ユーザーは、たとえば、メニュー選択スイッチ４４を押して「後」に合わせる。なお、差分時間の右側に表示される「前」または「後」は、時刻スイッチ４７を押しているうちに自動で切り替わるようにしてもよい。そして、時間表示部３４に「１８：００の２：００後」が表示されている状態で、炊飯スイッチ４５が押されると、新しい予約時刻が２０：００に設定される。
【０１１０】
また、予約時刻が１８：００に設定されていて、予約時刻を１２：００に変更したい場合、図１８に示すように、時間表示部３４の上側には元の予約時刻である「１８：００」が表示される。また、時間表示部３４の下側には元の予約時刻との差分時間である「０：００」が表示されるので、ユーザーは、時刻スイッチ４７を押して、差分時間を「６：００」に合わせる。また、差分時間の右側には「前」または「後」が表示されるので、ユーザーは、たとえば、メニュー選択スイッチ４４を押して「前」に合わせる。なお、差分時間の右側に表示される「前」または「後」は、時刻スイッチ４７を押しているうちに自動で切り替わるようにしてもよい。そして、時間表示部３４に「１８：００の６：００前」が表示されている状態で、炊飯スイッチ４５が押されると、新しい予約時刻が１２：００に設定される。
【０１１１】
また、操作表示部５からではなく、情報端末機器２００の操作表示部２０１から炊飯の予約時刻の変更操作が行われる際には、情報端末機器２００の操作表示部２０１の表示部（図示せず）に、図１７および図１８に示す表示部３０と同様に、元の予約時刻と、その元の予約時刻との差分時間とを表示させるようになっている。つまり、情報端末機器２００の操作表示部２０１の表示部に、新しい予約時刻の設定を、元の予約時刻との差分時間でユーザーに設定させるような表示が行われる。
【０１１２】
以上、本実施の形態１０に係る炊飯器１００によれば、炊飯の予約時刻の変更操作が行われる際、表示部３０の時間表示部３４または情報端末機器２００の操作表示部２０１の表示部に、元の予約時刻と、その元の予約時刻との差分時間とを表示させるようになっている。そのため、ユーザーは新しい予約時刻を元の予約時刻との差分時間だけシフトさせて設定でき、ユーザーの使い勝手をよくすることができる。
【符号の説明】
【０１１３】
１  本体、２  蓋体、３  内釜、４  内蓋、５  操作表示部、６  加熱コイル、７  交流電源、８  報知部、９  通信手段、１０  内部回路、１１  インバーター部、１２  制御部、１３  記憶部、２１  鍋底温度センサー、２２  内部温度センサー、２３  蓋体開閉センサー、３０  表示部、３１  米種表示部、３２  硬さ表示部、３３  メニュー表示部、３４  時間表示部、４０  操作部、４１  保温スイッチ、４２  米種選択スイッチ、４３  硬さ選択スイッチ、４４  メニュー選択スイッチ、４５  炊飯スイッチ、４６  予約スイッチ、４７  時刻スイッチ、１００  炊飯器、２００  情報端末機器、２０１  操作表示部、３００  インターネット、４００  ウェブサーバー。
【図１】
2018088991.tif 000003
【図２】
2018088991.tif 000004
【図３】
2018088991.tif 000005
【図４】
2018088991.tif 000006
【図５ａ】
2018088991.tif 000007
【図５ｂ】
2018088991.tif 000008
【図６】
2018088991.tif 000009
【図７】
2018088991.tif 000010
【図８】
2018088991.tif 000011
【図９】
2018088991.tif 000012
【図１０ａ】
2018088991.tif 000013
【図１０ｂ】
2018088991.tif 000014
【図１１】
2018088991.tif 000015
【図１２】
2018088991.tif 000016
【図１３】
2018088991.tif 000017
【図１４】
2018088991.tif 000018
【図１５】
2018088991.tif 000019
【図１６】
2018088991.tif 000020
【図１７】
2018088991.tif 000021
【図１８】
2018088991.tif 000022